(57)【特許請求の範囲】
【請求項１】
上弦材１及び傾斜部材２の各端部どうしをピンボルト９で角度調整できるヒンジ接合することにより３角錐状単位架構３を構成し、前記３角錐状単位架構３を、上弦材１を重複しないように連接することにより立体トラスとし、前記立体トラス上部外周部の上弦材１の交点を上弦つなぎ材４でつないで一体化した立体トラスの上部に床部材６を取り付け、前記傾斜部材２は複数の直径の異なる軸管２０からなり、上の軸管２０は下の軸管２０に内蔵され、前記上弦材１等をジャッキアップまたは吊り上げるなどして、傾斜部材２を伸ばして上下の軸管２０の端部のテーパー面で相互に接するようにし、上の軸管２０に装着されたナット４１を下の軸管２０に向けて締め付け、上の軸管２０と下の軸管２０が接する面を締め付けて、ナット４１の戻りをなくする為、戻り止めナット４２で締め付ける構造になっていることを特徴とする建造物。
【請求項２】
前記上弦材１または上弦つなぎ材４をトラス梁２８、３１としたことを特徴とする請求項１記載の建造物。
【請求項３】
前記立体トラス上部外周部の上弦材１の交点を上弦つなぎ材４でつなぎ、さらに前記傾斜部材２の交点を下弦材６２でつないで一体化した立体トラスを斜面に沿って段状に連接し、上弦材１または下弦材６２上部に床部材を取り付けてなることを特徴とする請求項１または２記載の建造物。
【請求項４】
前記立体トラス上部外周部の上弦材１の交点を上弦つなぎ材４でつないで一体化した立体トラスを、前記３角錐状単位架構３を多角形状に連接することにより構成した立体トラスにしたことを特徴とする請求項１または２記載の建造物。
【請求項５】
前記３角錘状単位架構を１列または複数列横に上弦材１によって構成される３角形の底辺が外周にくるように連接し、前記３角錐状単位架構３の傾斜部材２下端部交点を下弦材６２でつなぎ、外周に面した前記３角錘状単位架構３の上弦材１の横２交点と傾斜部材２下端部交点にそれぞれ傾斜部材９９、１００を接合すると共に傾斜部材９９、１００の下端部どうしを接合することによってなる３角錘状単位架構１０５を一定間隔で構成したことを特徴とする請求項１または２記載の建造物。
【請求項６】
前記立体トラス上部外周部の上弦材１の交点を上弦つなぎ材４でつなぎ、さらに前記傾斜部材２の交点を下弦材１１９でつないで一体化し、傾斜部材２の交点に、下弦材１１９と同長または複数倍を３辺とする３角形を上面としてなる３角錐状のフロート１２０を結合し、水深、波高、流速を探知するセンサー１２３、制御機、巻揚げ機、引き綱１２１及びアンカーまたはアースアンカー１２５を取り付けてなることを特徴とする請求項１または２記載の建造物。
【請求項７】
前記３角錐状単位架構３を４角錐状単位架構５０に替えてなることを特徴とする請求項１から４までまたは６のいずれか一つに記載の建造物。
【請求項８】
前記上弦材１または上弦つなぎ材４で囲まれた面内に水平、平行及び等間隔に小梁３７を取り付け適当な間隔の格子梁を構成し、この格子梁に格子梁で囲まれた大きさと同形または等分割の床部材６を取り付けてなることを特徴とする請求項１から７までのいずれか一つに記載の建造物。
【請求項９】
前記傾斜部材２または上弦材１の先端部２１と軸管または軸棒２０をねじ接合して伸縮可能ならしめ、一本または複数の軸管または軸棒２０の接合によって任意の長さにでき、かつ軸管２０どうしの接合部に、Ｙ字型腕木２４を取り付けた軸管２０をねじ接合し、このＹ字型腕木２４の３端部と傾斜部材２または上弦材１両先端部に鋼線２５を張り補強することもできるようにしたことを特徴とする請求項１から８までのいずれか一つに記載の建造物。
【請求項１０】
前記３角錐状単位架構３または４角錐状単位架構５０の上弦材１または傾斜部材２によって囲まれた面内にトラスを構成して、錐状単位架構にかかる水平力を前記面内トラスで受けることを特徴とする請求項１から９までのいずれか一つに記載の建造物。
【請求項１１】
基礎を棒材または管材１４３を芯材とし、これに一つまたは複数のらせん状加工された板材１４４を取り付けまたは一体成形され、回転圧入できるように造られたアースアンカー１４２で地盤に固定されることを特徴とする請求項１から５までまたは７から１０までのいずれか一つに記載の建造物。
【請求項１２】
基礎を前記建造物の傾斜部材下端部交点下にベースプレート１５２を取り付け、前記ベースプレート１５２と基礎の間にジャッキ挿入スペースを設け、前記ベースプレート５２を固定する為のアンカーボルト１５３上部の余長を取り、不同沈下後ベースプレート１５２をジャッキアップ、ベースプレート１５２と基礎の間にグラウト１５６を注入またはキャンバーを入れ、レベル調整できることを特徴とする請求項１から５までまたは７から１０までのいずれか一つに記載の建造物。
【発明の詳細な説明】
【０００１】
【産業上の利用分野】
この発明は山野、海浜のような傾斜地などにも利用でき、小資源、リサイクル、再使用可能な循環型の建造物に関するものである。
【０００２】
【従来の技術】
都市での集中居住は便利ではあるが、居住空間を狭小にし、多くの密集地域を発生させている。情報、交通、設備などの技術、流通機構が進歩した現在、山野、海浜が大部分をしめる日本国土に於いて、都市での集中居住から山野、海浜などへの分散居住が可能である。また、自然が少なくなった都市居住の市民にとって、山野、海浜などへリゾートに出かける意義は高い。従来山野、海浜のような傾斜地に居住などのための建造物を造る場合、樹木を伐採、道路を造り、宅地造成を行ってきた。これは山野、海浜の自然破壊となった。また、循環型社会形成の視点から見ても従来の建造物、基礎は小資源、リサイクル及び再使用に問題がある。
【０００３】
【発明が解決しようとする課題】
山野などの傾斜地の有効利用として、一つは立体トラスなどによる人工地盤があったが、しかし今までの人工地盤は都市を対象にしたものが多く、山野などの傾斜地につくるにしては大型クレーンなどの重機類の近寄りが必要であったり、自然の景観を損ねたり、また支柱、接合部材などの種類が多くいるなど環境保全性、施工性、経済性に於いて問題があった。
【０００４】
また、山野などの傾斜地に建造物を造るには一階部の一部を埋めるか、下部をピロティにするかの手法があったが、前者の場合自然破壊につながり、また地すべり、防水などのために施工費が高くつき、後者の場合にはピロティ部に地震による水平力が集中する弱点を持っていた。
【０００５】
また、力学的に安定し、部材の軽量化が図れて経済的でもある立体トラスは人工地盤の骨組としてはあったが、居住などもできる建造物として使うにはその傾斜部材が内部使用に妨げになるという問題があった。
【０００６】
さらに、床部材についてはコンクリートなど一体形の材料使用の傾向が強く取り替え、再使用に対する考慮が不足していた。
【０００７】
組み立て基礎の着想はあるが、その重量からクレーン車などの重機の寄り付きを必要とし傾斜地での施工には問題があり、また建造物の荷重に合わせて自由に大きさを変えられるものではなく、再使用するにしても一定の規格住宅などの建造物に限定されるものであり、さらに不同沈下に対して容易に対応できるものではなく、また傾斜地に利用するにしては地すべり崩壊への対応の問題があった。
【０００８】
そこで、本発明はかかる問題点に着目してなされたもので、山野、海浜のような傾斜地にも適し、なおかつ自然環境共生で標準化、取り替え、再使用も可能な建造物を提供することを目的とする。
【０００９】
また、自然環境破壊を最小限に押さえ、大きさを単体の組み合わせで任意に変えられ、取り替え、再使用もでき、不同沈下、地すべりへの対応も可能な組み立て基礎を提供することを目的とする。
【００１０】
【課題を解決するための手段】
上弦材１及び傾斜部材２の各端部どうしをピンボルト９で角度調整できるヒンジ接合することにより３角錐状単位架構３を構成し、前記３角錐状単位架構３を、上弦材１を重複しないように連接することにより立体トラスとし、前記立体トラス上部外周部の上弦材１の交点を上弦つなぎ材４でつないで一体化した立体トラスの上部に床部材６を取り付け、前記傾斜部材２は複数の直径の異なる軸管２０からなり、上の軸管２０は下の軸管２０に内蔵され、前記上弦材１等をジャッキアップまたは吊り上げるなどして、傾斜部材２を伸ばして上下の軸管２０の端部のテーパー面で相互に接するようにし、上の軸管２０に装着されたナット４１を下の軸管２０に向けて締め付け、上の軸管２０と下の軸管２０が接する面を締め付けて、ナット４１の戻りをなくする為、戻り止めナット４２で締め付ける構造になっていることを特徴とする。
【００１１】
前記上弦材１または上弦つなぎ材４をトラス梁２８、３１としたことを特徴とする。
【００１２】
前記立体トラス上部外周部の上弦材１の交点を上弦つなぎ材４でつなぎ、さらに前記傾斜部材２の交点を下弦材６２でつないで一体化した立体トラスを斜面に沿って段状に連接し、上弦材１または下弦材６２上部に床部材を取り付けてなることを特徴とする。
【００１３】
前記立体トラス上部外周部の上弦材１の交点を上弦つなぎ材４でつないで一体化した立体トラスを、前記３角錐状単位架構３を多角形状に連接することにより構成した立体トラスにしたことを特徴とする。
【００１４】
前記３角錘状単位架構を１列または複数列横に上弦材１によって構成される３角形の底辺が外周にくるように連接し、前記３角錐状単位架構３の傾斜部材２下端部交点を下弦材６２でつなぎ、外周に面した前記３角錘状単位架構３の上弦材１の横２交点と傾斜部材２下端部交点にそれぞれ傾斜部材９９、１００を接合すると共に傾斜部材９９、１００の下端部どうしを接合することによってなる３角錘状単位架構１０５を一定間隔で構成したことを特徴とする。
【００１５】
前記立体トラス上部外周部の上弦材１の交点を上弦つなぎ材４でつなぎ、さらに前記傾斜部材２の交点を下弦材１１９でつないで一体化し、傾斜部材２の交点に、下弦材１１９と同長または複数倍を３辺とする３角形を上面としてなる３角錐状のフロート１２０を結合し、水深、波高、流速を探知するセンサー１２３、制御機、巻揚げ機、引き綱１２１及びアンカーまたはアースアンカー１２５を取り付けてなることを特徴とする。

【００１６】
前記３角錐状単位架構３を４角錐状単位架構５０に替えてなることを特徴とする。
【００１７】
前記上弦材１または上弦つなぎ材４で囲まれた面内に水平、平行及び等間隔に小梁３７を取り付け適当な間隔の格子梁を構成し、この格子梁に格子梁で囲まれた大きさと同形または等分割の床部材６を取り付けてなることを特徴とする。
【００１８】
前記傾斜部材２または上弦材１の先端部２１と軸管または軸棒２０をねじ接合して伸縮可能ならしめ、一本または複数の軸管または軸棒２０の接合によって任意の長さにでき、かつ軸管２０どうしの接合部に、Ｙ字型腕木２４を取り付けた軸管２０をねじ接合し、このＹ字型腕木２４の３端部と傾斜部材２または上弦材１両先端部に鋼線２５を張り補強することもできるようにしたことを特徴とする。
【００１９】
前記３角錐状単位架構３または４角錐状単位架構５０の上弦材１または傾斜部材２によって囲まれた面内にトラスを構成して、錐状単位架構にかかる水平力を前記面内トラスで受けることを特徴とする。
【００２０】
基礎を棒材または管材１４３を芯材とし、これに一つまたは複数のらせん状加工された板材１４４を取り付けまたは一体成形され、回転圧入できるように造られたアースアンカー１４２で地盤に固定されることを特徴とする。
【００２１】
基礎を前記建造物の傾斜部材下端部交点下にベースプレート１５２を取り付け、前記ベースプレート１５２と基礎の間にジャッキ挿入スペースを設け、前記ベースプレート５２を固定する為のアンカーボルト１５３上部の余長を取り、不同沈下後ベースプレート１５２をジャッキアップ、ベースプレート１５２と基礎の間にグラウト１５６を注入またはキャンバーを入れ、レベル調整できることを特徴とする。
【００２２】
【作用】
本発明の建造物に使用している３角錐状単位架構はその４面体の全ての面が３角形を形成するのでどの方向の力に対しても容易に変形せず、力学的にもっとも安定し、効率的な単位架構である。これを平面的または立体的に連設、または配設してトラス梁でそれらを結合し、構造骨組を立体トラスにすることによって、構造骨組の軽量化が図れ、構造骨組の拡大、縮小、再使用も容易である。また、請求項２記載の本発明によれば、上弦材をトラス梁にしているので、上弦材を傾傾斜部材より外側へはね出すことができる。
【００２３】
前記理由により、３角錐状単位架構の各部材の接合はピン接合またはヒンジ接合で良く、容易に組み立て、解体ができる。また、上弦材と傾斜部材をヒンジ接合し、傾斜部材を容易に任意の長さにせしめることによってこの単位架構は任意の高さになり、傾斜地に人工地盤、道路、軌道、建築などの建造物を容易に造ることができる。
【００２４】
また、本発明によれば、構造骨組、床、基礎の各部材を必要適当な長さ、大きさ、重さに分解可能ならしめているので、山野などに建造するに当っても重機を必要とせず、自然環境を破壊することなく建造が可能である。さらに施工便宜上必要な重機などを用意するのであれば、本発明の線状建造物は自己延伸が可能である故、これを道路または軌道として利用することによって自然破壊することなく重機などの運搬が可能である。
【００２５】
本発明によれば、３角格子梁は剛性が高い故、その上面に取り付ける床、屋根、太陽電池などの部材は非剛性で良く、容易に取り付け、取替、解体ができ、またメッシュとシートの上砂利敷などであっても良い。これは４角錐状単位架構による格子梁上に於いても、水平ブレスによる補強または床部材に剛性を持たせることによって可能である。
【００２６】
本発明によれば、地盤に近いところで組立ができるので、高さの高い建造物の建方にも大規模な足場を必要とせずに建方可能である。
【００２７】
本発明によって傾斜地に自由に接地できるので山野、海浜などの傾斜地の人工地盤に適しており、太陽光発電所などの建造物にも利用できる。また、単位架構を樹木回避して設置もしくは傾斜部材、上弦材を樹木の幹、枝を避けて通すことによって樹木の伐採を抑止できる。
【００２８】
また、本発明によって３角錐状単位架構を曲面状に連設、傾斜部材下部を下弦材でつなぎ一体の立体トラスとし、この上部に床部材または屋根部材を取り付けることによって３次曲面状の人工地盤または屋根が可能である。
【００２９】
請求項５記載の線状建造物は、傾斜地に自由に線状に接地できるので山野、海浜などの傾斜地の道路、軌道に適し、容易に３次曲線状にすることも可能である。
【００３０】
請求項６記載の浮き建造物はフロートが３角錐であり、フロート間及びフロートと床の間に十分な空間があることによって波のエネルギーを吸収し、波の建造物に与える影響を少なくすることができる。さらに、センサーによって水深、波高及び流速を探知、制御盤へ伝え巻揚機を作動、アースアンカーで固定された引綱に張力を掛けることによって建造物の移動及び振動を無くすことができるので海上施設、空港等に利用できる。建造物下に船を運行させることも可能である。また、フロートの間隔が十分である場合にはその形体を球形、円筒形または矩形などの形体にすることもできる。
【００３１】
本発明によって傾斜地にも安全な基礎ができ、さらに沈下を許容した最小限の大きさの基礎が可能である。
【００３２】
以上の本発明の建造物と基礎の間に免震装置を挿入することによって免震構造建造物、傾斜部材にダンパーなどの制震装置を挿入して制震構造建造物が可能である。
【００３３】
【実施例】
以下、図面について本発明の実施例を詳細に説明する。図１は本発明の建造物の実施例を示す斜視図、図２は同上立体トラス構造骨組の平面図、図３は図２のａ−ａ線断面図、図４は図２のｂ−ｂ線断面図である。上弦材などの部材の太さは省略して単線表現をしている。建造物は図１、図２で示すように上弦材１、傾斜部材２を互いに接合、３角錐状単位架構３を構成し、前記３角錐状単位架構３を、上弦材１を重複しないように連接することにより立体トラスとし、上部に床部材６を取り付けてなる。
【００３４】
図５は上弦材及び傾斜部材の接合平面図、図６は同上ｃ−ｃ線断面図、図７は傾斜部材下部の接合平面図、図８は同上正面図である。上弦材１はそれが３角形を形成する故、容易に取付、解体可能なピンボルト９によって接合でき、傾斜部材２は接合部材８、９にヒンジ接合されるので上弦材２に対して任意の角度に取り付けでき、なおかつ上弦材とで３角形を形成するのでヒンジ接合で安定する。
【００３５】
図９は該建造物を人工地盤として利用、住宅を建てた実施例の１階平面図、図１０は２階平面図、図１１は側面図である。上弦材長を３ｍとしており、上弦材及び傾斜部材にφ１６５．２の鋼管を利用できる。なお、それらはＰＣコンクリート、丸太、紙管などの管材または棒材であっても良い。該建造物は上弦材によって３角格子梁を形成するので樹木を避けて、床部材及び一部の上弦材の取り止めが容易である。３角格子梁上の建築の主要なる室は６角形によって構成され、従来の４角形の室とは異なった空間の拡がりを創出できる。人工地盤上の建築は、構造的には、上弦材上に壁パネルを取り付けてなる壁式構造、上弦材上に土台を取り付け柱を建ててなる木造、上弦材接合部材上に鉄骨柱を建ててなる鉄骨造、いずれも可能である。
【００３６】
図１２〜図１６は床パネル取付けの実施例である。図１２は床パネル取付用台座の配置平面図、図１３は床パネル及び止めボルトの配置平面図、図１４、図１５、図１６はそれぞれ同上ｄ−ｄ線断面図、ｅ−ｅ線断面図、ｆ−ｆ線断面図である。上弦材は３角形を形成しているので、水平力によって変形することがなく、台座１１、１２、１３は容易に取付、解体可能な方法によることができ、Ｕボルト１７によって取り付けられる。床パネル６も同様に止めボルト１８によって取り付けられる。パネル相互のすき間には変形自在で吸水性のない断熱材１９を詰める。本実施例では上弦材長を３ｍとして、床パネルの大きさを１辺を１．５ｍとする正３角形で統一している。
【００３７】
図１７〜図２４は傾斜部材の実施例である。図１７は傾斜部材を軸管２０と先端部材２１に分け、ねじ接合し、その長さがＬからＬ＋２ｌ０まで長さ調整できることを示す。図１８、図１９、図２０はｌ０＝０．２５ｍとした場合、軸管長ｌ１、ｌ２、ｌ３、ｌ４がそれぞれ２．０ｍ、２．５ｍ、３．０ｍ、３．５ｍの軸管を組み合わせて傾斜部材長Ｌが２．０ｍから１１．０ｍまで任意の長さにできることを示す。図２０は傾斜部材長Ｌが７．５ｍを越えた時、該部材を補強するため、Ｙ字型金物２４、鋼線２５を取り付けた実施例を示す。図２１は軸管の接合断面図で、軸管２３は接合部材２６によってねじ接合される。図２２は軸管とＹ字型金物の接合断面図、図２３は同上ｇ−ｇ線断面図である。Ｙ字型金物２４は軸管２０とねじ接合され、Ｙ型金物の先端に鋼線２５を通す。図２４は軸管、先端部材及び鋼線取付金物の接合断面図である。鋼線取付金物２６は先端部材２１にねじ接合され、鋼線２５はタンバックル２７によって緊張される。以上傾斜部材長について述べたが、上弦材長、水平部材長、下弦材長にも同様に利用できる。
【００３８】
図２５は建造物の構造骨組の平面図、図２６は同上ｈ−ｈ線断面図、図２７は３角錐状単位架構の斜視図である。図２７で示すようにトラス状上弦材２８と傾斜部材２を接合部材２９、接合部材１０を介して互いに接合３角錐状の単位架構とし、図２５に示すように該単位架構を配設これらをトラス梁３１で結合、さらに外周部に該上弦材線上にトラス梁３２を取り付け、その端部を上弦つなぎ材３３でつなぎ一体の立体トラスとしている。３箇の該単位架構により図１と同面積の建造物を造っており、これを建造物の基本単位として自在に連設拡張が可能である。トラス状上弦材２８、トラス梁３１、トラス梁３２及び上弦つなぎ材３３は同じ部材で良い。また、３角錐状単位架構及びトラス梁をＰＣコンクリート製にすることもできる。
【００３９】
図２８は別な実施例の正面図である。該建造物３４、線状建造物３５及び複層型建造物３６によって構成されている。線状建造物、複層型建造物の詳細は後述する。図示のように海浜または砂漠地帯に該建造物を人工地盤として利用、植裁し緑豊かな都市空間を創出することができる。
【００４０】
図２９は建造物の構造骨組の斜視図、図３０は同上平面図及び背面図を示す。３個の３角錐状単位架構３を斜め横に連接、上弦つなぎ材４でつなぎ一体の立体トラスとし、小梁３７を上弦材１と平行に入れ、３角格子梁を形成している。上弦材１、上弦つなぎ材４及び小梁３７は接合部材３８、束３９と下弦材４０によってトラス梁を形成するので該部材は軽量化が図れ、なおかつ取付、解体に容易なピン接合にできる。図３１は該建造物を人工地盤として利用、上部に住宅を建てた実施例の平面図、図３２は同上側面図である。このように３箇の該単位架構と３箇所の基礎によって一戸の住宅のための建造物が可能である。
【００４１】
図３３は傾斜部材２を釣竿状に伸縮自在となるよう複数の直径の異なる軸管２０で一体化した釣竿状傾斜部材の正面図、図３４は同上該傾斜部材を伸ばした正面図、図３５は同上軸管接合断面図である。図３５に示すように上下の軸管２０の端部が伸ばし切った際、テーパー面で相互に接し、かつ上部の軸管２０には、ねじが切ってある。従ってナット４１を締め付け、さらにもどり止めナット４２を締め付けることによって上下の軸管は固定される。図３６は図２９及び図３０で示す建造物の傾斜部材に該傾斜部材を使用し、ジャッキアップのためのジャッキ据え付け図を示す。該傾斜部材の下に架台４３を置き、下に３機のジャッキを据えてジャッキアップできる。図３７は図３６のジャッキアップ前の側面図、図３８はジャッキアップ第１段階時、図３９はジャッキアップ完了、本設の側面図である。第１段階で３本つぎ傾斜部材の上部接合部４５を固定、第２段階で同下部接合部４６及び２本つぎ傾斜部材の接合部４７を固定、架台及びジャッキを取りはずして本設とする。
【００４２】
図４０はジャッキ内蔵傾斜部材の延長前、図４１は延長後の正面図を示す参考例である。傾斜部材は軸管２０とジャッキ４８とでなり、相互にねじ接合されているので、ハンドル４９を回転させることによって傾斜部材は自在に伸縮する。従って３角錐状単位架構に該傾斜部材を使用することによって地盤上で組み立て、ジャッキアップ後本設とすることができる。また本設後不同沈下に対して自在にレベル調整が可能である。
【００４３】
図４２は４角錐状単位架構連設による建造物実施例の構造骨組の斜視図、図４３は同上平面図及び背面図、図４４は同上側面図である。上弦材５１、傾斜部材５２を接合部材５３及び５４を介して相互に接合、４角錐状単位架構とし、該単位架構を４箇縦横に連接している。上弦材５１に束５５及び下弦材５６を接合してトラス梁にしている。さらに小梁５７を上弦材５１と平行、等間隔に入れ格子梁を形成している。小梁５７も上弦材５１と同様にトラス梁にしている。上弦材及び小梁の部材長を３，６００ｍｍとすることによって面積が２０７．３６ｍ２の一戸の住宅に必要な人工地盤の構造骨組を構築できる。
【００４４】
図４５は上弦材と傾斜部材の接合平面図、図４６は同上背面図、図４７は図４５のｈ′−ｈ′線断面図である。３角錐状単位架構と同様に上弦材５１、傾斜部材５２は接合部材５３を介してそれぞれピン接合、ヒンジ接合される。下弦材５６は上弦材先端部材６０にねじ接合された接合部材５８にねじ接合される。図４８は上弦材５１又は小梁５７と束５５及び下弦材５６の接合正面図である。束５５は接合部材５９及び６１に、下弦材５６は接合部材６１にそれぞれねじ接合される。このように単材を容易に接合、解体のできる手段で接合していくことによって断面性の高い長尺のトラス梁を容易に得る事ができ、また取り替え、再使用も容易にできる。
【００４５】
図４９は段状建造物構造骨組実施例の平面図、図５０は同上ｉ′−ｉ′線断面図、図５１はｉ−ｉ線断面図である。３角錐状単位架構３を連設、上弦材交点をつなぐ上弦つなぎ材４を入れ、該単位架構下部に下弦材６２を接合することによって立体トラスにしており、これを斜面に沿って段状に接地させ、上弦材または下弦材上面に床部材を取りつけ段状建造物が構築される。該建造物の外周部は下弦材６２を上弦材とする３角錐状単位架構６３または基礎立上り６４にて接地する。図５２は部材接合正面図、図５３は該建造物の具体的な実施例である。下層階は立体歩道として利用でき、下層階と上層階を階段またはエスカレーターによって接続することができる。
【００４６】
図５４は複層型建造物構造骨組参考例の図５５〜図５９のｏ−ｏ線断面図、図５５、図５６、図５７、図５８、図５９はそれぞれ同上ｊ−ｊ線平面図、ｋ−ｋ線平面図、ｌ−ｌ線平面図、ｍ−ｍ線平面図、ｎ−ｎ線平面図である。該構造骨組は３個の３角錐状単位架構６８より構成され、各層が３角格子梁を形成する立体トラスになる。この各層の３角格子梁上面に床部材を取り付け、外周に外材装を取り付けることによって建築として利用できる。図６０は傾斜部材と水平部材の接合正面図である。傾斜部材５２は接合部材７０と接合部材７１によってねじ接合され一体の傾斜部材を構成する。水平部材６９は接合部材７０にピンボルト９によってピン接合される。該建造物は立体トラスを構成し、最上層は上弦材５１、上弦つなぎ材６７及び小梁５７によって、中層及び最下層は水平部材６９、水平部材７２及び小梁５７によって３角格子梁を形成し、該３角格子梁はトラス梁を構成するので、該建造物の軽量化が図れる。また、該建造物は各部材のピン接合またはねじ接合によって構成されるので、建造、解体及び部材の再使用も容易にできる。
【００４７】
図６１は別な複層型建造物構造骨組の参考例の側面図、図６２〜図６６は各々ｐ−ｐ線平面図、ｇ−ｇ線平面図、ｒ−ｒ線平面図、ｓ−ｓ線平面図である。該構造骨組は上弦材５１及び４本の傾斜部材５２よりなる４個の４角錐状単位架構７４によって構成される立体トラスである。最上層は上弦材５１及び小梁５７によって、中層及び最下層は水平部材６９、水平部材７２及び小梁５７によって格子梁を形成する。上弦材５１、水平部材６９、水平部材７２及び小梁５７は束５５及び下弦材５６によってトラス梁を構成する。該複層型構造骨組の各層の上面に床部材、外周部に外装材を取り付けることによって、建築として利用できる。該建造物の水平力に対する剛性は剛性のある床部材を取り付けることによって保持される。図６７は図６１の構造骨組を上下反転、傾斜部材５２を延長接地、さらに水平部材７２、束５５、下弦材５６よりなるトラス梁をつけてなる複層型建造物構造骨組の側面図である。
【００４８】
図６８は複層型建造物構造骨組の別な参考例の斜視図である。内部及び裏面の鉄骨は省略している。図６９は図６８の平面図、図７０は図６９のｔ′−ｔ′線断面図である。上弦材７５及び７６と傾斜部材７７及び７８によってなる３角錐状単位架構７９を多角形状に連設、中央部にコア８４′及びその立上りである塔屋８４の構造骨組を設け、上弦材交点をつなぐように上弦つなぎ材７３′を入れ、上弦材７５、７６または上弦つなぎ材７３′のそれぞれと必要な長さを取って水平部材８０、８０′、８０″を入れ、傾斜部材と接合して複層型構造骨組の主骨格を構成。さらに、該３角錐状単位架構の上面に上弦材７５、７６のそれぞれと平行等間隔に小梁８３、８２を入れ上弦材と接合、２側面に傾斜部材７７と平行等間隔に傾斜部材８１を入れ、傾斜部材７７、７８、上弦材７５または水平部材８０と接合、該３角錐状単位架構３面にトラスを形成している。これによって、該３角錐状単位架構の上弦材、傾斜部材、水平部材、小梁及び傾斜部材をそれぞれピン接合にすることができ、該部材も接合間の長さによって統一される。さらに、最上層は小梁８３を延長、小梁８２を該３角錐状単位架構上面外にも入れることによって中層及び最下層も同様に小梁８２、８３をそれぞれ水平部材８０′、８０″と平行等間隔に入れることによって格子梁を形成し、外面部は傾斜部材８１を延長させることによって格子状骨組を形成するので該建造物の各部材は出隅以外は同一部材で統一される。コア部分は階段、エレベーターシャフト、ＰＳとして利用できる。該実施例は矩形の建造物の実施例であるが、６角形、８角形などの多角形も同様に可能である。図７１は構造骨組の接合及び外壁取付の平面図である。傾斜部材７７、８１と水平部材８０及び水平部材８０と小梁８３が３角形を形成する故、その接合はピン接合で良く、容易に取付、解体ができる。また、外壁９３の取付もピンボルト９２によって容易に取付、解体ができる。
【００４９】
図７２は複層型建造物構造骨組の別な参考例の平面図で上半分は外部、下半分は内部を示している。図７３は同上正面図、図７４は図７２のｕ−ｕ線断面図である。上弦材７６′と傾斜部材７５′、７７′、７９′からなる３角錐状単位架構８０′を多角形状に連設、上弦材交点をつなぐように上弦つなぎ材を８３′を入れ、上弦材７６′、上弦つなぎ材８３′とそれぞれ必要な高さを取って水平部材８５′、８６′を入れて複層型構造骨組とし、さらに床部材または屋根部材を有効に取り付けるために、上弦材で囲まれた面内にドーム状の３角格子梁を形成、水平部材で囲まれた面内にトラス梁による３角格子梁を形成したものである。この上層部に屋根部材、下層部に床部材を取り付けるこよによって、ドームとして利用できる。
【００５０】
図７５は別な複層型構造骨組の参考例の斜視図である。上弦材１、傾斜部材２よりなる３角錐状単位架構３を傾斜部材２が外側に来るよう水平及び上下に連接して一体の立体トラスになっている。最下部３角錐状単位架構の傾斜部材２の長さを調整することによって傾斜地に接地させることができる。最上部に４角錐状単位架構９６を取り付け、屋根部材を張ることによって勾配屋根にすることが可能である。該構造骨組の各層の上弦材両面に床部材を取り付け、外周に外壁材を取り付けることによって建築として利用できる。内部に出る傾斜部材の位置を間仕切壁位置に合わすことによって内部空間を有効に利用できる。また、階段、エレベーターの縦動線は内部に設けることも、別な構造体として結合させることも可能である。
【００５１】
図７６は線状建造物構造骨組参考例の斜視図、図７７は同上平面図、図７８は同上側面図、図７９はｕ′−ｕ′線断面図である。上弦材１、傾斜部材２よりなる編重心３角錐状単位架構を交互に横に一列連接してなる立体トラスである。傾斜部材２は接合部材９７及び９８とヒンジ接合されている故、その長さを調整することによって不陸のある傾斜地にも自在に接地する。また上弦材１及び傾斜部材２の長さを調整することによって３次曲線の線状建造物が可能である。平行する上弦材１の上面にレールを取り付けることによって軌道、上弦材１の上面に床部材を取り付けるこよによって道路として利用できる。
【００５２】
図８０は別な線状建造物構造骨組斜視図、図８１は同上平面図、図８２は正面図、図８３、図８４はそれぞれ図８１のｖ′−ｖ′線断面図、ｖ−ｖ線断面図である。上弦材１及び傾斜部材２を相互に接合してなる３角錐状単位架構３を横に２列連設、傾斜部材下部を下弦材６２で接続、一定間隔で前記単位架構縦両端部上弦材１の横２交点、下端部及び３本の新設傾斜部材９９、１００を互いに接合してできる３角錐状単位架構１０５を向き合わせに作ってなる立体トラスである。この上弦材上面に床部材を取り付けることによって道路などの線状建造物とし利用できる。上弦材１、傾斜部材２、９９、１００及び下弦材６２の長さを調整することによって該構造骨組は３次曲線を形成することができる。
【００５３】
図８５は別な線状建造物構造骨組実施例の斜視図、図８６は同上平面図、図８７は正面図、図８８、図８９はそれぞれ図８６のｗ−ｗ線断面図、ｘ−ｘ線断面図である。上弦材１０６、１０７、傾斜部材１０８を相互に接合してなる４角錐状単位架構１０９を横に連設、傾斜部材下部を下弦材１１０で接続、一定間隔で前記単位架構縦両端部上弦材１０６の横２交点、下端部及び３本の新設傾斜部材１１１、１１２を互いに接合してできる３角錐状単位架構１１３を向き合わせに作ってなる立体トラスである。この上弦材上面に剛性のある床部材を取り付けることによって道路などの線状建造物に利用できる。上弦材１０６、１０７、傾斜部材１０８、１１１、１１２、下弦材１１０の長さを調整することによって該構造骨組は３次曲線を形成することができる。
【００５４】
図９０は浮き建造物実施例平面図、図９１は同上側面図、図９２は正面図である。上弦材１、傾斜部材２を相互に接合してなる３角錐状単位架構を連設、外周部に上弦つなぎ材４、傾斜部材下部に下弦材１１９を入れ立体トラスの構造骨組が構成される。上弦材上面に床部材１１８、下弦材より下にフロートを取り付け浮き建造物本体がなる。フロートを３角錐状とし、フロート間に十分な間隙を取り、さらにフロートと床の間に十分な空間を取ることによって波のエネルギーを吸収することができる。図９３は浮き建造物下部参考例の正面図である。フロート１２０は接合部材１２６にピン接合されているので容易に取付、解体、取替えができる。図９４はフロート参考例の斜視図である。構造骨組１３０は上弦材１２７、傾斜部材１２８及びトラス部材１２９を相互に接合してなる３角錐状の立体トラスであるので部材の軽量化が図れる。該構造骨組４面にチタンなどの耐久性と強度のある板を張ることによって浮き建造物のためのフロートができる。図９５はフロートの別な参考例である。該３角錐状構造骨組の内部にフロート単体を詰め、外周にネットを張ってなる。フロート単体は取り替えも容易にできるので水圧などに対する強度と耐久性があれば良く、ポリボトル再生品などの安価なものを利用できる。またフロートがフロート単体の集合体であるので、フロートの破損浸水のリスクは軽減される。図９６はセンサーから引綱の張力までのフロー図である。センサーが水深、流速及び波高を感知し、制御盤がこれを受け巻揚機を作動させ引綱に浮き建造物の水平移動と上下運動を抑止するに必要な張力を掛けることができる。引綱はアースアンカー１２５によって海底に固定される。図９７は複層型浮き建造物参考例の断面図である。構造骨組は前記複層型建造物参考例の図５４〜図６０に準ずる。上部を滑走路、その下を空航ターミナルとすることによって、海上空航などに利用できる。
【００５５】
図９８は組み立て基礎実施例の平面図、図９９は同上正面図である。充分な強度と耐久性のある等厚のブロック１３６を地盤上に縦横または斜め横にすき間なく敷き並べ、これらを鋼棒で引張力をかけ結合して基礎のベースとし、この上に前記のブロックを一段または複数段積み重ね、これら及びベースを鋼棒で引張力をかけ結合、基礎の立上りとした独立基礎である。ブロックは３角形または４角形であっても良い。この様に基礎が適当な大きさの複数個のブロックの組み立てによってなる構造であるので、組み立てに重機など必要とせず、山野などの傾斜地にても組み立てが可能であり、また部材の再利用が可能である。傾斜地に於いて基礎のすべりを防ぐため及び風力に対して抵抗するため、アースアンカー１４２にて地盤に固定することができる。アースアンカー１４２は棒材または管材１４３を芯材とし、これに一つまたは複数のらせん状加工された板材１４４を取り付け、または一体成形されているので回転圧入、地盤に固定することができる。アースアンカーを回転圧入するための機具は容易に運搬、移動できるもので、その圧入のための荷重も水などの容易に増量、回収及び移動のできるものを利用する。
【００５６】
図１００は基礎梁付き組み立て基礎参考例の平面図、図１０１は同上ｙ−ｙ線断面図、図１０２は同上ｚ−ｚ線断面図である。基礎ベースの上に空胴ブロックを一段または複数段積み重ね、これら及びベースを鋼棒１４１で固定する。次に各独立基礎間に基礎梁ブロック１４８を棒状に敷き並べ、これら及び基礎立上りを鋼棒またはＰＣ鋼線１４９で引張力をかけ結合する。最後に基礎立上りの空胴部及び基礎梁ブロックと基礎立上りの間隙にコンクリートまたはグラウトを詰める。基礎立上りブロック１４７を空胴にしているのは基礎梁結合のための鋼棒またはＰＣ鋼線１４９を貫通させるための穴を容易にあけるためである。この様に独立基礎を基礎梁でつないで一体にすることによって地震力に対してより安定した基礎及び建造物を造ることができる。
【００５７】
図１０３は不同沈下対応基礎実施例平面図、図１０４は同上正面図、図１０５は同上基礎沈下後のジャッキアップの正面図である。ベースプレート１５２下にジャッキ挿入スペース１５７及びアンカーボルト１５３に余長がとられているので不同沈下した後にジャッキ挿入スペースにジャッキ１５９を入れ、ジャッキアップ、レベル調整の後グラウト注入、グラウトが固まった後ジャッキを取り外し、上部建造物を水平に安定させることができる。基礎にアースアンカー１４２が付いている場合にはそのナット１４５を締め付ければ良い。建造物基礎に不同沈下対応基礎を使用し、沈下を許容し、不同沈下調整をすることによって基礎の大きさを小さくでき省資源、経済性を図れる。
【００５８】
図１０６は交通システムのための建造物に本発明の建造物を利用し、さらに本発明の建造物を応用した建造物２００、２０１、２０２、２０３、２０４を、山野の傾斜地に創出した新空間をより具体的に示すために掲載している。
【００５９】
【発明の効果】
以上述べたように本発明の建造物、基礎は山野、海浜などの傾斜地に自然をほとんど破壊することなく構築することが可能であり、眺望、自然を享受する新しい空間を創出できる。
【００６０】
また、本発明の建造物、基礎は小資源、リサイクル、再使用が可能であるのであまねく場所に使用して、循環型社会の形成に寄与できる。
【００６１】
【図面の簡単な説明】
【図１】本発明建造物の実施例を示す斜視図。
【図２】同上立体トラス構造骨組の平面図。
【図３】図２のａ−ａ線断面図。
【図４】図２のｂ−ｂ線断面図。
【図５】上弦材及び傾斜部材の接合平面図。
【図６】同上ｃ−ｃ線断面図。
【図７】傾斜部材下部の接合平面図。
【図８】同上正面図。
【図９】該建造物を人工地盤として利用、住宅を建てた実施例の一階平面図
【図１０】同上２階平面図。
【図１１】図９、図１０の側面図。
【図１２】床パネル取付用台座の配置平面図。
【図１３】床パネル及び止めボルトの配置平面図。
【図１４】図１３のｄ−ｄ線断面図。
【図１５】図１３のｅ−ｅ線断面図。
【図１６】図１３のｆ−ｆ線断面図。
【図１７】傾斜部材正面図、断面図。
【図１８】傾斜部材長調整の参考例の正面図と表。
【図１９】同上（２本継）。
【図２０】同上（３本継）及び補強Ｙ型金物、鋼線正面図。
【図２１】傾斜部材軸管の接合断面図。
【図２２】傾斜部材軸管とＹ型金物の接合断面図。
【図２３】同上ｇ−ｇ線断面図。
【図２４】傾斜部材軸管、先端部材及び鋼線取付金物接合断面図。
【図２５】建造物の構造骨組平面図。
【図２６】同上ｈ−ｈ線断面図。
【図２７】３角錐状単位架構斜視図。
【図２８】建造物の別な実施例の正面図。
【図２９】建造物の構造骨組斜視図。
【図３０】同上平面図。
【図３１】該建造物を人工地盤として利用、上部に住宅を建てた実施例の平面図。
【図３２】同上側面図。
【図３３】釣竿状傾斜部材収納時の正面図。
【図３４】釣竿状傾斜部材延長時の正面図。
【図３５】同上軸管接合断面図。
【図３６】ジャッキアップのためのジャッキ据え付け図。
【図３７】建造物ジャッキアップ前の側面図。
【図３８】建造物ジャッキアップ第１段階時側面図。
【図３９】建造物ジャッキアップ完了、本設の側面図。
【図４０】ジャッキ内蔵傾斜部材の延長前の正面図。
【図４１】ジャッキ内蔵傾斜部材の延長後の正面図。
【図４２】４角錐状単位架構連設による建造物実施例の構造骨組の斜視図。
【図４３】同上平面図、背面図。
【図４４】同上側面図。
【図４５】上弦材と傾斜部材の接合平面図。
【図４６】同上背面図。
【図４７】図４５のｈ′−ｈ′線断面図。
【図４８】トラス梁の接合正面図。
【図４９】段状建造物構造骨組実施例の平面図。
【図５０】図４のｉ′−ｉ′線断面図。
【図５１】図４９のｉ−ｉ線断面図。
【図５２】部材接合正面図。
【図５３】該建造物の具体的な参考例。
【図５４】複層型建造物構造骨組参考例の図５５〜図５９のｏ−ｏ線断面図
【図５５】図５４のｊ−ｊ線平面図。
【図５６】図５４のｋ−ｋ線平面図。
【図５７】図５４のｌーｌ線平面図。
【図５８】図５４のｍ−ｍ線平面図。
【図５９】図５４のｎ−ｎ線平面図。
【図６０】傾斜部材と水平部材の接合正面図。
【図６１】別な複層型建造物構造骨組参考例の側面図。
【図６２】図６１のｐ−ｐ線平面図。
【図６３】図６１のｇ−ｇ線平面図。
【図６４】図６１のｒ−ｒ線平面図。
【図６５】図６１のｓ−ｓ線平面図。
【図６６】図６１のｔ−ｔ線平面図。
【図６７】別な複層型建造物構造骨組参考例の側面図。
【図６８】別な複層型建造物構造骨組参考例の斜視図。
【図６９】同上平面図。
【図７０】図６９のｔ′−ｔ′線平面図。
【図７１】構造骨組及び外壁取付の平面図。
【図７２】別な複層型建造物構造骨組の参考例の平面図。
【図７３】同上正面図。
【図７４】図７２のｕ−ｕ線断面図。
【図７５】別な複層型建造物構造骨組参考例の斜視図。
【図７６】線状建造物構造骨組参考例の斜視図。
【図７７】同上平面図。
【図７８】同上側面図。
【図７９】図７７のｕ′−ｕ′線断面図。
【図８０】別な線状建造物構造骨組実施例の斜視図。
【図８１】同上平面図。
【図８２】同上側面図。
【図８３】図８１のｖ′−ｖ′線断面図。
【図８４】図８１のｖ−ｖ線断面図。
【図８５】別な線状建造物構造骨組実施例の斜視図。
【図８６】同上平面図。
【図８７】同上側面図。
【図８８】図８６のｗ−ｗ線断面図。
【図８９】図８６のｘ−ｘ線断面図。
【図９０】浮き建造物実施例の平面図。
【図９１】同上側面図。
【図９２】同上正面図。
【図９３】浮き建造物下部実施例の正面図。
【図９４】フロート実施例の斜視図。
【図９５】フロートの別な実施例の斜視図。
【図９６】センサーから引綱の張力までのフロー図。
【図９７】複層型浮き建造物参考例の断面図。
【図９８】組み立て基礎実施例の平面図。
【図９９】同上正面図。
【図１００】基礎梁付き基礎参考例の平面図。
【図１０１】図１００のｙ−ｙ線断面図。
【図１０２】図１０１のｚ−ｚ線断面図。
【図１０３】不同沈下対応基礎実施例の平面図。
【図１０４】同上正面図。
【図１０５】同上沈下後ジャッキアップの正面図。
【図１０６】建造物実施例の正面図
【００６２】
【符号の説明】
１、５１、７５、７６、７６′、８５、８６、１０６、１０７、１２７─上弦材
２、５２、７５′、７７、７７′、７８、７９′、８１、８７、８８、９９、１００、１０８、１１１、１１２、１２８──傾斜部材
３、３０、６３、６８、７９、８０′、８９、１０５、１１３──３角錐状単位架構
４、３３、６７、７３′、８３′──上弦つなぎ材
５、３４──該建造物
６──床部材
７、２１、６０、１３２──先端部材
８、１０、２９、３８、５３、５４、５８、５９、６１、７０、７１、９０、９１、９７、９８、１０１、１０２、１０３、１０４，１１４、１１５、１１６、１１７、１２６、１３１──接合部材
９──ピンボルト
１１、１２、１３──台座
１７──Ｕボルト
１８──止めボルト
１９──断熱材
２０──軸管
２３──ねじ接合
２４──Ｙ字型金物
２５──鋼線
２６──軸管接合部材
２７──タンバックル
２８──トラス状上弦材
３１、３２、９０′──トラス梁
３５──線状建造物
３６──複層型建造物
３７、５７、８２、８３──小梁
３９、５５──束
４０、５６、６２、１１０、１１９──下弦材
４１──ナット
４２──もどり止めナット
４３──架台
４５、４６、４７──接合部
４８──傾斜部材内蔵ジャッキ
４９──ハンドル
５０、７４、９６、１０９──４角錐状単位架構
６４──基礎立上り
６５──立体歩道
６６──エスカレーター
６９、７２、８０、８０′、８０″、８５′、８６′──水平部材
７３──斜行エレベーター
８４──塔屋
８４′──中央部コア
９３──外壁
９４──シーリング材
９５──バックアップ材
１２０──フロート
１２１──引綱
１２２──機械室進入口
１２３──センサー
１２４──機械室
１２５──アースアンカー
１２９──トラス部材
１３０──構造骨組
１３３──金属板
１３４──ネット
１３５──フロート単体
１３６、１３７──ブロック
１３８、１４１、１４９──鋼棒
１３９、１４５、１５４──ナット
１４０──欠き込み
１４２──アースアンカー
１４３──鋼棒または管材
１４４──板材
１４６、１５１、１５５──丸座
１４７──空胴ブロック
１４８──基礎梁ブロック
１４９──鋼棒またはＰＣ鋼線
１５０──コンクリートまたはグラウト
１５２──ベースプレート
１５３──アンカーボルト
１５６、１５８──グラウト
１５７──ジャッキ挿入スペース
１５９──ジャッキ
【図１】
0004032093.tif 000002
【図２】
0004032093.tif 000003
【図３】
0004032093.tif 000004
【図４】
0004032093.tif 000005
【図５】
0004032093.tif 000006
【図６】
0004032093.tif 000007
【図７】
0004032093.tif 000008
【図８】
0004032093.tif 000009
【図９】
0004032093.tif 000010
【図１０】
0004032093.tif 000011
【図１１】
0004032093.tif 000012
【図１２】
0004032093.tif 000013
【図１３】
0004032093.tif 000014
【図１４】
0004032093.tif 000015
【図１５】
0004032093.tif 000016
【図１６】
0004032093.tif 000017
【図１７】
0004032093.tif 000018
【図１８】
0004032093.tif 000019
【図１９】
0004032093.tif 000020
【図２０】
0004032093.tif 000021
【図２１】
0004032093.tif 000022
【図２２】
0004032093.tif 000023
【図２３】
0004032093.tif 000024
【図２４】
0004032093.tif 000025
【図２５】
0004032093.tif 000026
【図２６】
0004032093.tif 000027
【図２７】
0004032093.tif 000028
【図２８】
0004032093.tif 000029
【図２９】
0004032093.tif 000030
【図３０】
0004032093.tif 000031
【図３１】
0004032093.tif 000032
【図３２】
0004032093.tif 000033
【図３３】
0004032093.tif 000034
【図３４】
0004032093.tif 000035
【図３５】
0004032093.tif 000036
【図３６】
0004032093.tif 000037
【図３７】
0004032093.tif 000038
【図３８】
0004032093.tif 000039
【図３９】
0004032093.tif 000040
【図４０】
0004032093.tif 000041
【図４１】
0004032093.tif 000042
【図４２】
0004032093.tif 000043
【図４３】
0004032093.tif 000044
【図４４】
0004032093.tif 000045
【図４５】
0004032093.tif 000046
【図４６】
0004032093.tif 000047
【図４７】
0004032093.tif 000048
【図４８】
0004032093.tif 000049
【図４９】
0004032093.tif 000050
【図５０】
0004032093.tif 000051
【図５１】
0004032093.tif 000052
【図５２】
0004032093.tif 000053
【図５３】
0004032093.tif 000054
【図５４】
0004032093.tif 000055
【図５５】
0004032093.tif 000056
【図５６】
0004032093.tif 000057
【図５７】
0004032093.tif 000058
【図５８】
0004032093.tif 000059
【図５９】
0004032093.tif 000060
【図６０】
0004032093.tif 000061
【図６１】
0004032093.tif 000062
【図６２】
0004032093.tif 000063
【図６３】
0004032093.tif 000064
【図６４】
0004032093.tif 000065
【図６５】
0004032093.tif 000066
【図６６】
0004032093.tif 000067
【図６７】
0004032093.tif 000068
【図６８】
0004032093.tif 000069
【図６９】
0004032093.tif 000070
【図７０】
0004032093.tif 000071
【図７１】
0004032093.tif 000072
【図７２】
0004032093.tif 000073
【図７３】
0004032093.tif 000074
【図７４】
0004032093.tif 000075
【図７５】
0004032093.tif 000076
【図７６】
0004032093.tif 000077
【図７７】
0004032093.tif 000078
【図７８】
0004032093.tif 000079
【図７９】
0004032093.tif 000080
【図８０】
0004032093.tif 000081
【図８１】
0004032093.tif 000082
【図８２】
0004032093.tif 000083
【図８３】
0004032093.tif 000084
【図８４】
0004032093.tif 000085
【図８５】
0004032093.tif 000086
【図８６】
0004032093.tif 000087
【図８７】
0004032093.tif 000088
【図８８】
0004032093.tif 000089
【図８９】
0004032093.tif 000090
【図９０】
0004032093.tif 000091
【図９１】
0004032093.tif 000092
【図９２】
0004032093.tif 000093
【図９３】
0004032093.tif 000094
【図９４】
0004032093.tif 000095
【図９５】
0004032093.tif 000096
【図９６】
0004032093.tif 000097
【図９７】
0004032093.tif 000098
【図９８】
0004032093.tif 000099
【図９９】
0004032093.tif 000100
【図１００】
0004032093.tif 000101
【図１０１】
0004032093.tif 000102
【図１０２】
0004032093.tif 000103
【図１０３】
0004032093.tif 000104
【図１０４】
0004032093.tif 000105
【図１０５】
0004032093.tif 000106
【図１０６】
0004032093.tif 000107